(57)【特許請求の範囲】
【請求項１】
重曹粉体又は重曹懸濁液を植物に衝突させて組織を傷つけ、植物の生育部を枯死させるとともに、根を生かしたまま翌年の生育における矮化を促進させることを特徴とする植物の矮化方法。
【請求項２】
請求項１に記載の植物の矮化方法において、重曹粉体ブラスト法、高水圧ブラスト法又はスチームジェツトブラスト法により前記重曹粉体又は重曹懸濁液を植物に衝突させることを特徴とする植物の矮化方法。
【請求項３】
請求項１又は２に記載の植物の矮化方法において、予め植物に定着剤を噴霧し、次いで重曹を噴霧して付着させることを特徴とする植物の矮化方法。
【請求項４】
請求項３に記載の植物の矮化方法において、定着剤と重曹を同時に又は混合して噴霧することを特徴とする植物の矮化方法。
【請求項５】
重曹水溶液中で植物の種子を培養し発芽させ、次いで圃場あるいは培土に撒種して栽培することを特徴とする植物の矮化方法。
【請求項６】
重曹を固定化した担体あるいはこれを含んだ培土を直接矮化させたい種子と混合し、ついで圃場あるいは培土に撒種して栽培することを特徴とする植物の矮化方法。
【発明の詳細な説明】
【０００１】
【発明の属する技術分野】
本発明は植物の矮化方法に関するものであり、更に詳しくは地球環境に優しい矮化剤を用いて植物の矮化を促進する技術に係るものである。
【０００２】
【従来の技術】
河川や公園、更には飛行場等において、除草は必須のことであるが、環境への影響を配慮して除草剤の使用を控える方向にある昨今、膨大な除草面積を管理している河川、道路、空港、公園線地等の管理者にとって、除草にかかる手間、コストは大きな問題となっており、低コストで地球環境に負担をかけることなく除草できる方法が求められている。
【０００３】
又、雑草を完全に枯死してしまうことは不都合な場合もあり、特に飛行場等にあっては砂塵の舞い上がりを防ぐために背丈の低い雑草が成育していることが望まれる。このため、毎年３〜４回程度広い飛行場内の雑草を刈り込みする必要があり、その費用は莫大なものがある。このため、雑草の背丈が低くなるいわゆる矮化が可能であれば雑草対策には大きな寄与をなすこととなる。特に望まれる方法は、雑草の次世代の矮化を促進させて草刈の回数を減らし、草刈作業の費用と刈り取った雑草の処理費用を軽減できる方法が良いことは言うまでもない。
【０００４】
一方、従来の農業における農作物にあっては、従来はできるだけ大きな作物を収穫することが目標とされていたが、近年の核家族化や高年齢者の家族が増加するに伴い、食料品として従来の農作物を買う場合には大き過ぎて半分は捨てる羽目に陥ることが多くなっている。
【０００５】
しかるに、このような植物に対する除草や生育調整（矮化）には通常は農薬が使用されているのが現状であり、農薬の安全性問題とも相俟って地球環境保全の指向とは逆の方向にある。そして、この種の薬剤は殆どが天然には存在しない合成化合物を主成分とするものであり、例えば、植物の矮化に使用される薬剤として、アンシミドール剤、ジケグラック剤、ダミノジット剤、メフルイジド剤、クロルメコート液剤、バクロブトラゾール粒剤、イナベンフィド粒剤等いずれも合成化合物が主成分である。そして、その多くが使用濃度に依存する薬効成分であるため、薬害の回避方法や使用時期の選定等に知識と経験が必要とされ、地球環境汚染を伴うことが避けられないのが現状である。
【０００６】
【発明が解決しようとする課題】
本発明の目的は、農薬等における安全性の問題を回避し、かつ地球環境に配慮しつつ植物の矮化を達成する方法を提供するものであり、矮化剤として全く新たな化合物を採用し、例えば、雑草に対してはこれを完全に枯らすことなく根を生かしたまま次世代における矮化を促進させる方法を提供することである。
【０００７】
【課題を解決するための手段】
本発明の第１は、重曹粉体或いは重曹水溶液を植物に付着させ、植物の生育部を枯死させるとともに、根を生かしたまま次世代における矮化を促進させる植物の矮化方法であって、植物への吹き付け法は、重曹粉体ブラスト法、高水圧ブラスト法、スチームジェツトブラスト法等がある。
【０００８】
本発明の第２は、重曹水溶液中に植物の種子を浸漬し、次いで圃場あるいは培土に撒種して栽培することを特徴とする植物の矮化方法である。
【０００９】
本発明の第３は、重曹を固定化した担体あるいはこれを含んだ培土を直接矮化させたい種子と混合し、ついで圃場あるいは培土に撒種して栽培することを特徴とする植物の矮化方法である。
【００１０】
【発明の実施の形態】
本発明の植物の矮化方法の主体は、水溶性で人畜無害であり地球環境にやさしい低コストである重曹を用いたことを特徹とする。以下、ヨモギ、カヤ、セイタカアワダチソウ、クズ等のいわゆる雑草の矮化（第１発明）を中心として説明すると、かかる雑草に対して重曹を主成分とした処理を行うと、雑草が完全に枯れるわけではなく根が残るので再び芽が生えることになるが、重曹の作用により次世代の雑草の矮化が進む。このため、未処理の雑草に比べて処理を重ねることで草丈が低くなり、結果的に草刈の回数を減らすことができることとなったものである。
【００１１】
重曹の矮化作用にあっては、十分の機能は解明されてはいないが、重曹自体に抗菌性があり、本来的に植物体あるいは土壌中に存在して植物の成長を側面から援助する細菌との共生が疎外されることから来るものと推定され、更には、ｐＨ値の関係（ややアルカリ側に推移）を指摘することができる。
【００１２】
本発明で用いる重曹は水溶性であり、飽和水溶液でもほぼ中性（ｐＨ８．２）なので、土質に影響を及ぼすことが殆んどない。また植物への処理後は雨とともに流れ去るので、地球環境に害を与えることなく処理することができることは言うまでもない。かかる重曹は炭酸水素ナトリウムを主成分とするものであれば特に限定なく公知のものを使用でき、本発明の目的から逸脱して環境に悪影響を与えない限り不純物を含んでいても良い。例えば、後述する吹付け作業性を向上させるため重曹に流動促進剤等を添加してもよい。更に除草効果を高めるため、重曹に砂を混入することができる。本発明に使用できる市販品の重曹は例えば商品名「ＡＲＭＥＸ」、Ｃｈｕｒｃｈ＆Ｄｗｉｇｈｔ  Ｃｏ．，Ｉｎｃ．があるが、これらに限定されるものではない。
【００１３】
第１発明の矮化方法にあって、上記の雑草類に対しては粉体ブラスト矮化方法、高水圧ブラスト矮化方法、スチームジェツトブラスト矮化方法が挙げられ、ブラスト矮化方法によれば、ある程度草丈を残したまま除草できるため、空港等の高刈り除草作業に好適で、根が残るので再び芽が生えることになるが、次世代の雑草の矮化が進むものである。尚、粉体ブラスト方法は、重曹粉体を圧搾空気とともに圧力１〜１０ｋｇｆ／ｃｍ2 で雑草に吹き付ける方法、高水圧ブラスト方法は、重曹水溶液、又は吹付け直前の水に重曹粉体を混入して高圧で雑草に噴射する方法、スチームジェツトブラスト方法は、５０〜１５０℃に熱した重曹水溶液、又は５０〜１５０℃の熱水に吹付け直前に重曹粉体を混入し高圧下で雑草に噴射する方法である。いずれも、重曹粉体等を雑草の葉や茎に衝突させて組織を傷つけ、植物ホルモンのエチレンや活性酸素他を大量に発生させると同時に葉の気孔を開放させることによって雑草を枯死させ、更に次世代の雑草の矮化を促進させる方法である。
【００１４】
重曹粉体或いは重曹水溶液を植物に付着させる別の手段としては、予め植物に定着剤を巻き次いで重曹を噴霧する方法であり、更には、定着剤と重曹を同時に又は混合して噴霧する方法である。この方法にあっては、植物の主として葉に重曹を付着させて何度か（一般には３〜４回程度）葉や茎を枯死させ、次世代の植物の矮化をもたらすものである。
【００１５】
一方、第２〜第３発明の重曹を主体とする矮化剤が特にその効果を発揮する植物としてはいわゆる農作物が挙げられ、ナス科作物、アブラナ科作物、ウリ科作物、更に具体的にはトマト、ピーマン、ナス、ハクサイ、キャベツ、チンゲンサイ、キュウリ、モヤシ、大根等であるが、これらに限定されるものではない。
【００１６】
第２〜第３発明の矮化剤（重曹）の上記農作物に対するその使用方法としては、前記重曹の水溶液や重曹を固定化した担体あるいはこれを含んだ培土を直接矮化させたい種子と混合し、この種子を圃場あるいは培土に撒種して栽培すればよい。あるいは対象とする作物種によっては、直接幼植物体に重曹懸濁液を葉面散布する方法で使用することもできる。
【００１７】
【実施例】
本発明を以下の実施例によりさらに詳細に説明するが、本発明はそれらに限定されるものではない。
【００１８】
実施例１（第１発明）
道路脇に生育する草丈約２０ｃｍの雑草（シバ・ヨモギ・スギナ等）に、ブラスト装置（「アキュストリツプシステム１１ｓｘ」、Ｃｈｕｒｃｈ＆Ｄｗｉｇｈｔ  Ｃｏ．，Ｉｎｃ．）を用いて、下記条件により乾式粉体ブラスト除草方法を行った。
【００１９】
重曹粉体：コンポジットフオーミュラく粒径１００μｍ級）、Ｃｈｕｒｃｈ＆Ｄｗｉｇｈｔ  Ｃｏ．，Ｉｎｃ．製
圧縮空気の吐出量：３．５ｍ3 ／分
空気圧（ブラスト圧）：２ｋｇｆ／ｃｍ2
重曹粉体の吐出量：０．３５ｋｇ／ｍ2
吐出時間：２０秒／ｍ2
ノズル：＃４ファンノズル
【００２０】
処理した翌日に処理した部分の雑草が黄変又は黒変して枯れた。根はそのまま生きのびることができ、次世代の雑草の生育はほぼ８０％の矮化が見られた。
【００２１】
実施例２（第１発明）
道路脇に生育する草丈約４０ｃｍの雑草（ヨモギ・カヤ・セイタカアワダチソウ等）に、ブラスト装置（「アキュストリップシステム１１ｓｘ」、Ｃｈｕｒｃｂ＆Ｄｗｉｇｈｔ  Ｃｏ．，Ｉｎｃ．）を用いて、下記条件により湿式粉体ブラスト除草方法を行った。
【００２２】
重曹粉体：フローフオーミュラＭ（粒径２００μｍ級）、Ｃｂｕｒｃｈ＆Ｄｗｉｇｂｔ  Ｃｏ．，Ｉｎｃ．製
圧縮空気の吐出量：３．５ｍ3 ／分
空気圧（ブラスト圧）：２．５ｋｇｆ／ｃｍ2
重曹粉体の吐出量：０．７ｋｇ／ｍ2
吐出時間：４０秒／ｍ2
ノズル：＃４ファンノズル
【００２３】
処理した翌日に処理した部分の雑草が黄変又は黒変して枯れた。根はそのまま生きのびることができ、次世代の雑草の生育はほぼ８０％の矮化が見られた。
【００２４】
実施例３（第１発明）
道路脇に生育する草丈約６０ｃｍの雑草（カヤ・ジュズダマ・クズ・セイタカアワダチソウ等）に、ブラスト装置（「ジェットマンＦＣＰＳ−１０３０」、蔵王産業（株））を用いて、下記条件により高水圧ブラスト除草方法を行った。
【００２５】
重曹水溶液：７０ｇ／リットル
吐出圧力（ブラスト圧）：１５０ｋｇｆ／ｃｍ2
重曹水溶液の吐出量：１６リットル／ｍ2
吐出時間：６０秒／ｍ2
ノズル：シングルランス
【００２６】
処理した翌日に処理した部分の雑草が黄変又は黒変して枯れた。根はそのまま生きのびることができ、次世代の雑草の生育はほぼ８０％の矮化が見られた。
【００２７】
実施例４（第２・第３発明）
直径４．３ｃｍのシャーレに脱脂綿を敷き、１０ミリリットルの試験液を入れる。試験液に浸した脱脂綿上に大根の種子を１０粒播種し、暗所（２５℃）で一日培養した。シャーレの半数については蒸留水（１０ミリリットル）で湿らせた脱脂綿上に夫々の種子を移し、更に二日同じ条件で培養した。培養した成長結果を図１に示す。残りのシャーレについては引き続き二日間培養した。培養した成長結果を図２に示す。図中、右側の白線は５ｍｍの長さである。
【００２８】
尚、図中の１／１０は０．８８％、１／３０は０．２９％、１／１００は０．０９％の濃度である。
【００２９】
結果は図示する通りであり、大根の種子を一定の期間重曹水溶液に浸漬することにより矮化することが証明された。
【００３０】
実施例５（第２・第３発明）
直径４．３ｃｍのシャーレに脱脂綿を敷き、１０ミリリットルの試験液を入れる。試験液に浸した脱脂綿上にレタスの種子を１０粒播種し、暗所（２５℃）で一日培養した。シャーレの半数については蒸留水（１０ミリリットル）で湿らせた脱脂綿上に夫々の種子を移し、更に二日同じ条件で培養した。培養した成長結果を図３に示す。残りのシャーレについては引き続き二日間培養した。培養した成長結果を図４に示す。図中、右側の白線は５ｍｍの長さである。
【００３１】
尚、図中の１／１０は０．８８％、１／３０は０．２９％、１／１００は０．０９％の濃度である。
【００３２】
結果は図示する通りであり、レタスの種子を一定の期間重曹水溶液に浸漬することにより矮化することが証明された。
【００３３】
【発明の効果】
以上詳述したように、本発明の植物の矮化方法は、雑草にブラスト処理を施すことによりこれを枯らし、次世代以降の矮化を促進させることができる。また植物の種子を処理することによっても矮化することができるものでありその実用性は高い。尚、矮化剤として本発明で使用する重曹は低コストで水溶性であるとともに環境に対して無害であるので、河川、道路、空港、公園等の雑草の処理に対し、更には農作物や花卉の栽培に好適である。
【図面の簡単な説明】
【図１】図１は大根の種子を処理した後これを蒸留水にて湿らせた脱脂綿上で培養した際の成長の状態を示す図である。
【図２】図２は大根の種子を処理した後これをそのまま培養した際の成長の状態を示す図である。
【図３】図３はレタスの種子を処理した後これを蒸留水にて湿らせた脱脂綿上で培養した際の成長の状態を示す図である。
【図４】図４はレタスの種子を処理した後これをそのまま培養した際の成長の状態を示す図である。
【図１】
0003942072.tif 000002
【図２】
0003942072.tif 000003
【図３】
0003942072.tif 000004
【図４】
0003942072.tif 000005